(57)【要約】【課題】  洗濯機を遠隔で操作する等、洗濯機動作中に、洗濯機本体付近に誰も人がいない場合に洗濯機に異常が発生した場合でも被害拡大を最小限に防ぐことが可能な洗濯機を提供する。【解決手段】  外枠と、外枠内に設けられた内槽と、水漏れを検知する漏水検知部と、外部装置と信号を送受信する通信部と、洗濯制御する運転制御部と、を有し、運転制御部は、通信部を介して外部装置から遠隔運転が行われる設定状態において、漏水検知部にて漏水が検知された場合、通信部を介して外部装置へ水漏れ発生を報知する報知信号を出力する。【選択図】  図４
2020137905.tif 000002
【特許請求の範囲】
【請求項１】
外枠と、
前記外枠内に設けられた内槽と、
水漏れを検知する漏水検知部と、
外部装置と信号を送受信する通信部と、
洗濯制御する運転制御部と、を有し、
前記運転制御部は、前記通信部を介して外部装置から遠隔運転が行われる設定状態において、前記漏水検知部にて漏水が検知された場合、前記通信部を介して前記外部装置へ水漏れ発生を報知する報知信号を出力することを特徴とする洗濯機。
【請求項２】
請求項１記載の洗濯機であって、
前記運転制御部は、遠隔運転中の場合、且つ前記漏水検知部にて漏水が検知された場合、遠隔運転を停止すると共に、前記通信部を介して前記外部装置へ水漏れ発生を報知する報知信号を出力する洗濯機。
【請求項３】
請求項１又は請求項２に記載の洗濯機であって、
前記外部装置は複数有し、
前記運転制御部は、前記外部装置のそれぞれに対応した前記報知信号を出力する、洗濯機。
【請求項４】
請求項１乃至３のいずれか１項に記載の洗濯機であって、
前記報知信号は、水漏れが発生しているメッセージ信号である、洗濯機。
【請求項５】
外枠と、前記外枠内に設けられた内槽と、水漏れを検知する漏水検知部と、  外部装置と信号を送受信する通信部と、洗濯工程を制御する運転制御部と、を有する洗濯機と、
前記外部信号である前記洗濯機を使用する使用者の携帯端末と、
前記外部信号である前記洗濯機を管理する管理者端末と、を有し、
前記洗濯機の前記運転制御部は、前記通信部を介して前記携帯端末から遠隔運転が行われる設定状態において、前記漏水検知部にて漏水が検知された場合、前記通信部を介して前記携帯端末、又は前記管理者端末へ水漏れ発生を報知する報知信号を出力することを特徴とする洗濯機システム。
【請求項６】
請求項５記載の洗濯機システムであって、
前記洗濯機の前記運転制御部は、前記携帯端末にて遠隔運転中の場合、且つ前記漏水検知部にて漏水が検知された場合、遠隔運転を停止すると共に、前記通信部を介して前記携帯端末、又は前記管理者端末へ水漏れ発生を報知する報知信号を出力する洗濯機システム。
【請求項７】
請求項５又は請求項６に記載の洗濯機システムであって、
前記洗濯機の前記運転制御部は、前記携帯端末には遠隔運転を中止する内容の前記報知信号を、前記管理者端末には点検を促す内容の前記報知信号を出力する、洗濯機システム。
【発明の詳細な説明】
【技術分野】
【０００１】
本発明は、衣類等の洗濯を行う洗濯機及び洗濯機システムに関する。
【背景技術】
【０００２】
従来、洗濯乾燥機では、給水ホースや排水ホースの経時劣化による破損、接続部の緩み、洗濯乾燥機本体内部の不具合により水漏れが発生することがあり、特に集合住宅等においては、その水漏れが洗濯乾燥機設置付近のみならず、階下の部屋や設備にも影響が及び、被害が拡大する場合があった。
【０００３】
これに対して、特許文献１では、洗濯乾燥機に漏水検知手段を設け、水漏れ検知時は直ちに運転を停止させると共に、異常報知を行うことで水漏れの被害拡大を防ぐ手段が開示されている。
【先行技術文献】
【特許文献】
【０００４】
【特許文献１】特開２０１０−１５５０１５号公報
【発明の概要】
【発明が解決しようとする課題】
【０００５】
しかしながら、特許文献１では、予約や遠隔運転待機または運転中で、洗濯乾燥機付近に人が不在の場合、洗濯機本体から異常報知が発せられても、異常報知発生に気付かず対応が遅れ、被害が拡大してしまう可能性があった。
【０００６】
本発明の目的は、洗濯機を遠隔で操作する等、洗濯機動作中に、洗濯機本体付近に誰も人がいない場合に洗濯機に異常が発生した場合でも被害拡大を最小限に防ぐことが可能な洗濯機を提供することである。
【課題を解決するための手段】
【０００７】
上記課題を解決するために、本発明の洗濯機は、外枠と、外枠内に設けられた内槽と、水漏れを検知する漏水検知部と、外部装置と信号を送受信する通信部と、洗濯制御する運転制御部と、を有し、運転制御部は、通信部を介して外部から遠隔運転が行われる設定状態において、漏水検知部にて漏水が検知された場合、通信部を介して外部装置へ水漏れ発生を報知する報知信号を出力する構成とする。
【０００８】
また、本発明の洗濯機システムは、外枠と、外枠内に設けられた内槽と、水漏れを検知する漏水検知部と、外部装置と信号を送受信する通信部と、洗濯制御する運転制御部と、を有する洗濯機と、外部装置である洗濯機を使用する使用者の携帯端末と、外部装置である洗濯機を管理する管理者端末と、を有し、洗濯機の運転制御部は、通信部を介して携帯端末から遠隔運転が行われる設定状態において、漏水検知部にて漏水が検知された場合、通信部を介して携帯端末、又は管理者端末へ水漏れ発生を報知する報知信号を出力する構成とする。
【発明の効果】
【０００９】
本発明によれば、洗濯機を遠隔で操作する等、洗濯機動作中に、洗濯機本体付近に誰も人がいない場合に洗濯機に異常が発生した場合でも被害拡大を最小限に防ぐことが可能な洗濯機を提供できる。
【図面の簡単な説明】
【００１０】
【図１】本発明に係る洗濯乾燥機の遠隔運転システムの制御ブロックを示す図である。
【図２】本発明に係る洗濯乾燥機の縦断面を示す図である。
【図３】本発明の遠隔運転システムの使用者の携帯端末及び集合住宅の管理者端末の画面例を示す図である。
【図４】本発明に係る洗濯乾燥機の制御フローチャートを示す図である。
【発明を実施するための形態】
【００１１】
図２は本発明の一実施形態を示す洗濯乾燥機の縦断面図である。図２に示す洗濯乾燥機の縦断面図において、洗濯乾燥機は洗濯乾燥機外枠１６と、洗濯乾燥機外枠１６を下から支持する外枠ベース１７、洗濯乾燥機外枠１６の上に設けられたトップカバー１８、トップカバー１８に開閉自在に備わる蓋１９が設けられている。洗濯、すすぎ、脱水等の動作中、蓋１９はロックされ開閉できない状態となる。外槽２０は洗濯乾燥機外枠１６の上側内部に設けたコーナ支持部２９より垂下する吊棒２１に防振バネ３０を介して防振支持される。洗濯乾燥機外枠１６内に設けた内槽である洗濯脱水乾燥槽２３は外槽２０内に回転自在に置かれる。この洗濯脱水乾燥槽２３の上部には、開閉自在に備わる内蓋２６が設けられている。メインモータ８は、外槽２０の底側下面に設けられる。メインモータ８はフランジ２２を用いて外槽２０に取り付けられる。メインモータ８の回転主軸２７は洗濯脱水乾燥槽２３の底面フランジ２２に固定され、洗濯脱水乾燥槽２３を支持する。
【００１２】
回転主軸２７の中心には洗濯脱水乾燥槽２３内に回転自在に置かれる洗濯翼２４を正逆回転させる内側回転軸（図示せず）が備わっている。メインモータ８は、クラッチによる切り替え手段（図示せず）で洗濯脱水乾燥槽２３と洗濯翼２４の回転動作を切り替えられる。洗濯物３４の洗いでは、メインモータ８は正逆回転し、洗濯翼２４も正逆回転し洗濯物３４の撹拌が行われる。洗濯物３４の脱水では、メインモータ８は高速で回転し、洗濯脱水乾燥槽２３も高速回転し、洗濯脱水乾燥槽２３の胴体に設けた脱水穴２５から遠心脱水が行われる。洗濯物３４の乾燥では、乾燥ヒータ・ファン９により暖めた空気を洗濯脱水乾燥槽２３内に送風する。
【００１３】
外槽２０内に貯留する洗濯水の水位は水圧の変化により水位センサー３６により検知され、その水位情報はコントロール基板２８に提供され、給水と排水を制御する。
【００１４】
排水電磁弁７は外槽２０の底部に設けた排水口に連通する排水ホース３１に備わる。洗濯やすすぎで使った水は排水電磁弁７の開放で排水ホース３１を通じて機外へ排水される。脱水が行われる脱水運転は排水電磁弁７を開放したままで行う。
【００１５】
排水電磁弁７の開閉、メインモータ８の運転、停止、速度調整はコントロール基板２８により制御される。また、コントロール基板２８は、洗濯乾燥機の使用者に洗濯運転の終了等を報知するブザー等の発音機能を備える。
【００１６】
給水電磁弁６や給水ホースとその接続部、排水電磁弁７や排水ホース３１とその接続部、洗濯脱水乾燥機能部周辺から水漏れが発生したことを検知するため、漏水が溜まる外枠ベース１７下部に、漏水検知部である漏水検知センサー１０を備える。
【００１７】
本実施例では、コントロール基板２８はトップカバー１８の後側に備えられる。電源スイッチ３３はトップカバー１８の前側に設けられる。洗濯乾燥機の使用者は、電源スイッチ３３を投入し、表示基板３２に設けられる各種入力スイッチを操作して洗濯乾燥機の動作を設定する。表示基板３２は、選択した運転コースや現在の運転状況、洗濯乾燥機の使用者への注意喚起、等を表示する手段を備える。宅内に設置されたホームゲートウェイ等の機器との通信を行うための電波の送受信及び通信制御を行う通信基板３７は、トップカバー１８の前側に備えられる。尚、コントロール基板２８、表示基板３２、通信基板３７は、それぞれ洗濯乾燥機外枠１６内の異なる位置に取付けられていても良い。
【００１８】
図１は、本発明の実施例における洗濯乾燥機及び遠隔運転システムの制御ブロック図である。洗濯乾燥機１は、メインモータ８及び乾燥ヒータ・ファン９及び給水電磁弁６及び排水電磁弁７により構成される洗濯脱水乾燥機能部２を有し、洗濯脱水乾燥機能部２は、少なくとも洗濯制御を行う運転制御部３により制御され、洗濯脱水乾燥運転を行う。運転制御部３は、コントロール基板２８に実装される。設定操作部４は、運転制御部３と通信し、洗濯乾燥機１の使用者の操作受付や、洗濯脱水乾燥運転状態の報知を行う。設定操作部４は表示基板３２に実装される。通信制御部５は、外部装置と信号を送受信する通信部であって、運転制御部３及び宅内ゲートウェイ１１と通信し、宅内ゲートウェイを経由した洗濯乾燥機１の使用者の操作受付や、洗濯脱水乾燥運転状態の報知を行う。通信制御部５は通信基板３７に実装される。宅内ゲートウェイ１１は、ネットワーク１２及び宅外サーバー１３を経由して、洗濯乾燥機１の使用者の携帯端末１４からの操作情報や、洗濯乾燥機１の使用者の携帯端末１４や集合住宅の管理者端末１５への報知情報について、通信制御部５と送受信を行う。通信制御部５は、洗濯乾燥機１の使用者の携帯端末１４と集合住宅の管理者端末１５では、洗濯乾燥機１の状態に応じて異なる情報を報知することが可能である。
【００１９】
図３は、本発明の実施例において、通信制御部５からの通信により、水漏れが発生したことを洗濯乾燥機１の使用者に報知するため、洗濯乾燥機１の使用者の携帯端末１４に表示される水漏れ発生報知画面３８、及び集合住宅の管理者に報知するため、集合住宅の管理者端末１５に表示される水漏れ発生報知画面３９である。なお、運転制御部３は、外部装置である携帯端末１４や管理者端末１５のそれぞれに対応した報知信号（メッセージ）を出力している。具体的には、図３に記載の通り、例えば、使用者の携帯端末１４には、「水漏れが発生している可能性があります。安全のため運転を中止し、電源を切ります」といったメッセージ（水漏れ発生報知画面３８）を送り、集合住宅の管理者端末１５には、「〇〇〇号室で水漏れが発生している可能性があります。安全のため至急点検を行ってください」といったメッセージ（水漏れ発生報知画面３９）を送るようにする。このように報知信号としては、水漏れが発生している内容や、遠隔運転を中心する内容や、電源を切る内容や、点検を促す内容などがあり、送信する相手の端末によって異なっても良いし、同じメッセージを送っても良い。
【００２０】
次に本実施例における制御動作の説明を、図１の制御ブロック図及び図３の水漏れ報知画面及び図４の制御フローチャートを用いて説明する。
【００２１】
まず、遠隔運転可能状態である洗濯乾燥機１は、Ｓ１ステップにおいて遠隔運転待機状態となっている。
【００２２】
ここで、運転制御部３は、漏水検知センサー１０が漏水検知したかの確認を行うＳ２ステップとなり、水漏れ発生の確認を行う。
【００２３】
このＳ２ステップにおいて漏水検知されなかった場合は、遠隔運転開始が指示されたかの判定を行うＳ３ステップに移行する。
【００２４】
更に、Ｓ３ステップにおいて遠隔運転開始が指示されていない場合は、再度Ｓ２ステップに移行し、水漏れ発生の確認を継続する。
【００２５】
ここで、Ｓ２ステップにおいて漏水検知された場合は、洗濯乾燥機１の使用者の携帯端末１４に水漏れ発生報知画面３８、及び集合住宅の管理者端末１５に水漏れ発生報知画面３９を表示し、水漏れが発生したことを洗濯乾燥機１の使用者及び集合住宅の管理者に報知するＳ４ステップに移行する。その後、運転制御部３は、安全のため洗濯乾燥機１の電源を切りとするＳ５ステップに移行して処理を終了する。
【００２６】
一方、Ｓ３ステップにおいて遠隔運転開始が指示されたと判断された場合は、運転制御部３は、洗濯乾燥機１の運転を開始するＳ６ステップに移行する。その後、運転制御部３は、漏水検知センサー１０が漏水検知したかの確認を行うＳ７ステップとなり、水漏れ発生の確認を行う。
【００２７】
このＳ７ステップにおいて漏水検知されなかった場合は、運転が終了したかの判定を行うＳ９ステップに移行する。
【００２８】
更に、Ｓ９ステップにおいて運転が終了していない場合は、再度Ｓ７ステップに移行し、水漏れ発生の確認を継続する。
【００２９】
ここで、Ｓ７ステップにおいて漏水検知された場合は、洗濯乾燥機１の運転を停止するＳ８ステップに移行し、その後、洗濯乾燥機１の使用者の携帯端末１４に水漏れ発生報知画面３８、及び集合住宅の管理者端末１５に水漏れ発生報知画面３９を表示し、水漏れが発生したことを洗濯乾燥機１の使用者及びに報知するＳ４ステップに移行する。その後、運転制御部３は、安全のため洗濯乾燥機１の電源を切りとするＳ５ステップに移行して処理を終了する。
【００３０】
一方、Ｓ９ステップにおいて運転が終了したと判断された場合は、運転制御部３は、洗濯乾燥機１の使用者の携帯端末１４に運転が終了したことを報知するＳ１０ステップに移行し、その後、洗濯乾燥機１の電源を切りとするＳ５ステップに移行して処理を終了する。
【００３１】
以上の本実施例によれば、通信部である通信制御部５を介して、携帯端末１４や管理者端末１５のような外部装置から遠隔運転が行われる設定状態において、漏水検知部である漏水検知センサー１０にて漏水が検知された場合、通信部を介して外部装置へ水漏れ発生を報知する報知信号を出力できるため、予約や遠隔運転待機または運転中で、洗濯乾燥機１付近に人が不在であっても、洗濯乾燥機１の使用者や集合住宅の管理者が、直ちに水漏れの発生を認識することができ、水漏れの被害拡大を最小限に防ぐことが可能となる。
【００３２】
なお、このような構成を有する洗濯乾燥機であれば、洗濯翼２２を洗濯脱水乾燥槽２１の底に設置する縦型の洗濯乾燥機や限らず、ドラム式の洗濯乾燥機であっても良い。
【符号の説明】
【００３３】
１  洗濯乾燥機
２  洗濯脱水乾燥部
３  運転制御部
４  設定操作部
５  通信制御部
１０  漏水検知センサー
１４  携帯端末
１５  管理者端末
１６  洗濯乾燥機外枠
１７  外枠ベース
１８  トップカバー
１９  蓋
２０  外槽
２３  洗濯脱水乾燥槽
２８  コントロール基板
３２  表示基板
３３  電源スイッチ
３７  通信基板
３８  水漏れ発生報知画面
３９  水漏れ発生報知画面
【図１】
2020137905.tif 000003
【図２】
2020137905.tif 000004
【図３】
2020137905.tif 000005
【図４】
2020137905.tif 000006